(57)【特許請求の範囲】
【請求項１】
外壁パネル１を備えた下地材２を柱３との間に目地４を形成して取付けたのち、スペーサ２１を下地材２に対し、表側が面一となるように位置決めして止着手段６により下地材側端面に止着し、ついで外壁パネル１を表側よりスペーサ２１に当てて組付けてなる外壁構造の上記スペーサ２１であって、樹脂又はゴム製で、下地材側端面に前記止着手段によって止着されるスペーサ本体と、該スペーサ本体２２と一体をなして前記目地４に挿入される挿入部２３よりなり、該挿入部２３の柱側一側には柱３に弾接するリップ２４ａ、２４ｂを複数有し、各リップ２４ａ、２４ｂは挿入部先端に向かって突出量が漸次大きくなるように形成され、挿入部他側はスペーサ本体と面一の平坦面をなして下地材側端面に接合される目地スペーサにおいて、前記止着手段が釘６であり、スペーサ本体一側の釘６が打ち込まれる面は、当てられた釘先を滑りにくくするために凹凸に形成されている目地スペーサ。
【請求項２】
前記挿入部２３には、その根元と、リップ間に挿入部２３を千切り易くするための切込み２５ａ、２５ｂ、２５ｃが入れられることを特徴とする請求項１記載の目地スペーサ。
【発明の詳細な説明】
【技術分野】
【０００１】
本発明は、外壁パネル取付け時の位置決め機能を果たす目地スペーサに関する。
【背景技術】
【０００２】
図１は、目地付近の外壁構造を示すもので、この外壁の施工は、先ず外壁パネル１を備えた下地材２を柱３との間に目地４を形成して取付け、ついで木材よりなるスペーサ５を下地材２と面一になるように位置決めして釘６にて下地材２に打付け止着したのち、外壁パネル１´をスペーサ５に当てて組付けることによって行われる。この外壁構造において、下地材２と柱３の間に隙間をもたせて目地４を形成するのは、地震により下地材２と柱３が当たって互いが損傷するのを防ぐためであるが、目地幅が狭いと、地震時に下地材２と柱３が当たって損傷するおそれがある。図中、７はシーリング材である。
【０００３】
柱と下地材との間の隙間に挿入される挿入片も知られる。下記特許文献１に示されるものがそうで、図２に示されるように下地材８に釘やビスにより、或いは接着剤を用いて固定される広幅部９と、該広幅部９と一体をなし、下地材８と柱１１との間の目地１２に挿入される挿入部１３よりなり、挿入部１３の両側にひだ状の突起１４を複数形成し、突起１４の突出量を先端側に向かって順次大きくして目地幅に応じ、突起間を切断するようになっている。図中、１５は外壁パネルである。
【特許文献１】特開平１０−２３７９６８号
【発明の開示】
【発明が解決しようとする課題】
【０００４】
前記特許文献１に開示される挿入片によれば、地震によって下地材８と柱１１が当たることによる損傷を防ぐことができ、また広幅部９によって外装パネル１５取付時の位置決めを行うこともできるが、なお改善すべき余地がある。
【０００５】
本発明は、前記特許文献１に開示される挿入片に改良を加え、下地材と柱との間の目地への挿入が容易で、スムースに行えるようにすると共に、目地幅のばら付きに対応し易くした目地スペーサを提供しようとするものである。
【課題を解決するための手段】
【０００６】
請求項１に係る発明は、外壁パネルを備えた下地材を柱との間に目地を形成して取付けたのち、スペーサを下地材に対し、表側が面一となるように位置決めして釘、ネジ、接着剤等の止着手段により下地材側端面に止着し、ついで外壁パネルを表側よりスペーサに当てて組付けてなる外壁構造の上記スペーサであって、樹脂又はゴム製で、下地材側端面に前記止着手段によって止着されるスペーサ本体と、該スペーサ本体と一体をなして前記目地に挿入される挿入部よりなり、該挿入部の柱側一側には柱に弾接するリップを複数有し、各リップは挿入部先端に向かって突出量が漸次大きくなるように形成され、挿入部他側はスペーサ本体と面一の平坦面をなして下地材側端面に接合される目地スペーサにおいて、止着手段が釘６であり、スペーサ本体一側の釘６が打ち込まれる面は、当てられた釘先を滑りにくくするために凹凸に形成されていることを特徴とし、
請求項２に係る発明は、請求項１に係る発明において、前記挿入部には、その根元と、リップ間に挿入部を千切り易くするための切込みが入れられることを特徴とする。
【発明の効果】
【０００８】
請求項１に係る発明によると、下地材と柱との間の目地に挿入部を挿入することによりスペーサを保持することができ、スペーサ本体を下地材と面一となるように位置決めして止着する作業が容易に行えること、同じ目地幅の目地に両側にリップを形成した挿入部を挿入する場合と、片側にリップを形成した挿入部を挿入する場合とを比べると、両側にリップを備えた前者の挿入部においては、各側のリップは短くなって剛性も大となるのに対し、片側にリップを備えた後者の挿入部においては、リップの長さを比較的長くして剛性を小さくすることができ、そのためリップを撓ませながら目地に挿入するのが容易となり、リップが撓み易くなることにより目地幅のばら付きに対応し易くなること、地震時に目地が狭められてもリップが弾接変形して下地材と柱との直接接触が避けられ、接触による損傷を避けることができること、目地に押込む際、スムースに押込むには挿入部が屈曲しないように挿入部の剛性を高めることが望まれるが、リップを片側に備えた挿入部においては、リップを挿入部と同材質で形成しても長くできるため、挿入部の剛性を高めてもリップの可撓性が損なわれることがないこと、挿入部の片側が平坦面であることにより下地材の側端面に沿わせて挿入するのがスムースに行えること、釘をスペーサ本体に当てて打込む際、釘先が滑りにくいため、釘打ちが容易となること等の効果を奏する。
【０００９】
請求項２に係る発明によると、目地幅に応じたリップを目地に押し込んで挿入することができる。すなわち目地幅が広いときには、挿入部をそのまま目地に挿入し、目地幅が狭いときには挿入部を切込みで千切って突出量の大きなリップを除去し、目地幅に合う突出量のリップを押し込んで挿入する。なお、目地幅が小さいか殆どないときには、挿入部の根元を千切って挿入部全体を除去し、目地への挿入を行わない。
【発明を実施するための最良の形態】
【００１１】
以下、本発明の実施形態の目地スペーサについて図面により説明する。なお、図中、図１に示すものと同一構造部分には同一符号を付した。
図３に示す目地スペーサ２１は、図１に示すスペーサ５に代えて用いられるもので、全体が例えばエチレンプロピレンゴム（ＥＰＤＭ）やクロロプレンゴム（ＣＲ）等のゴム又はポリ塩化ビニル（ＰＶＣ）、ポリプロピレン（ＰＰ）、オレフィン系熱可塑性エラストマー（ＴＰＯ）等の樹脂よりなり、中空部２０を等間隔で形成した略矩形断面のスペーサ本体２２と、該本体２２の一側より突出形成される挿入部２３とから構成され、スペーサ本体２２には止着手段である釘の打付け面２２ａが鋸歯状に形成されている。
【００１２】
挿入部２３は、根元が太く、一側には先端に側方の斜め下方向に鉤状に突出するリップ２４ａを形成し、更に根元との間にリップ２４ａより突出量の小さなリップ２４ｂを形成している。図示する例では、２個のリップ２４ａ、２４ｂが設けられているが、３個以上設けてもよい。挿入部２３の他側はスペーサ本体２２と面一の平坦面をなしている。
挿入部２３にはまた、根元、リップ２４ｂ下及びリップ２４ａ下に切込み２５ａ、２５ｂ、２５ｃが左右両側から入れられている。
【００１３】
図４は、図１に示す外壁構造に対応した外壁構造を示すもので、外壁パネル１を備えた下地材２を柱３との間に目地４を形成して取付ける点は図１に示す外壁構造と同じで変わりはない。次に図４に示す目地スペーサ２１の挿入部２３を下地材側端面に沿わせて目地４に押込み、目地４に保持した状態で下地材２と面一となるように目地スペーサ２１を位置決めし、釘６の釘先を打付け面２２ａに当てがい釘６をスペーサ本体２２に通し、下地材２に打込み固定する。目地スペーサ２１は柱３の長手方向に複数、適当間隔で取付けられるが、長尺な目地スペーサ２１を一つ、柱３に沿うようにして取付けてもよい。
【００１４】
目地スペーサ２１取付け後、外壁パネル１´が目地スペーサ２１のスペーサ本体２２に当てて組付けられ、その後、外壁パネル間１、１´の目地にシーリング材７が充填される。
【００１５】
図５は、目地幅に合わせて切込２５ａで挿入部２３を千切り、リップ２４ａを除去した挿入部２３を目地４に挿入した例、図５は切込２５ｂで挿入部２３を千切り、リップ２４ｂを除去して目地４に挿入した例、図６は切込２５ｃで挿入部２３を根元から千切って除去し、スペーサ本体２２のみを下地材２に取り付けた例をそれぞれ示すものである。
【００１６】
本実施形態の目地スペーサによると、挿入部２３を下地材２と柱３との間の目地４幅に応じて千切り、所要のリップ２４ａ、２４ｂを挿入して目地４に保持できるようになること、挿入部２３を目地４に押し込んで挿入する際、挿入部２３が屈曲しないでスムースに押込まれるようにするには、挿入部２３の剛性を高めることが望まれるが、リップ２４ａ、２４ｂは挿入部２３の片側にのみ設けられ、両側に設けられるよりも長くできるため、剛性の大なる挿入部２３とは別材質の剛性の小さな材質で形成しなくても十分な可撓性を持たせることが可能となり、目地幅のばら付きに対応し易くなり、また地震で下地材２と柱３が互いに接近しようとしても挿入部２３がリップ２４ａ、２４ｂが弾性変形して下地材２と柱３との直接接触による損傷を防ぐことができること、挿入部２３は片側が平坦面であり、剛性を持たせることにより下地材側端面に沿わせて挿入するのが容易で、スムースに行えること、スペーサ５を下地材２と面一となるように位置決めして取付ける際には、挿入部２３を目地４に保持した状態で行うことができるため、上述する取付けが容易に行えること、スペーサ２１を釘６によって止着する際には、釘６の打付け面が鋸歯状になっているため釘打ち付け時に釘先が滑りにくく、釘６の打付けが容易に行えること、スペーサ本体２２には中空部２０が形成され、その分原料が低減されるため、コストダウンを図ることができること等の効果を有する。なお、前記実施形態のスペーサ本体２２には、中空部２０が形成されていなくてもよく、また中空部２０に相当する部位がスペーサ本体２２よりも比重の低い発泡体で成形されていてもよい
【図面の簡単な説明】
【００１７】
【図１】目地付近の従来の外壁構造の断面図。
【図２】従来の別の外壁構造の断面図。
【図３】本発明に係る目地スペーサの断面図。
【図４】図３に示す目地スペーサを用いた外壁構造の断面図。
【図５】別の態様の同要部の拡大断面図。
【図６】更に別の態様の同要部の拡大断面図。
【図７】他の態様の同要部の拡大断面図。
【符号の説明】
【００１８】
１、１´・・外壁パネル
２・・下地材
３・・柱
４・・目地
５・・スペーサ
６・・釘
７・・シーリング材
２０・・中空部
２１・・目地スペーサ
２２・・スペーサ本体
２２ａ・・釘の打付け面
２３・・挿入部
２４ａ、２４ｂ・・リップ
２５ａ、２５ｂ、２５ｃ・・切込み
【図１】
0004818290.tif 000002
【図２】
0004818290.tif 000003
【図３】
0004818290.tif 000004
【図４】
0004818290.tif 000005
【図５】
0004818290.tif 000006
【図６】
0004818290.tif 000007
【図７】
0004818290.tif 000008